(57)【要約】      （修正有）【課題】周波数またはデューティの相違で検出することにより、双方向のデータ通信を実現する２線式データ通信装置を提供する。【解決手段】第１の送受信装置と第２の送受信装置を有した２線式データ通信であって、第１の送受信装置は第１の送信信号に応じたクロックのデューティを設定しこれに基づき発生するパルスとその反転関係にあるパルスを第２の送受信装置に送信し、また第２の送受信装置からの受信信号として、電流を検出する電流検出手段を備える。一方、第２の送受信装置は、送信されてきた信号を積分し基準電圧と比較を行う比較手段と、送信クロックに同期してデータを取り込む第１の送受信装置からのデータ受信手段と、第１の送受信装置に向け２線間のインピーダンスを第２の送信信号に応じて変化させる第２の制御手段とを備え、クロックのデューティを変えることによって、データを送信することを特徴とするデータ通信回路。【選択図】図１
2006173707.tif 000002
【特許請求の範囲】
【請求項１】
第１の送受信装置と第２の送受信装置を有し、第１及び第２の接点を介して、前記送受信装置間のデータ通信を行なう２線式データ通信であって、前記第１の送受信装置は、動作電圧を生成するする第１の電源生成手段と、第１または第２の接点にパルスを供給する第１のクロック供給手段と、クロックのデューティを複数設定することができるデューティ設定手段と、前記クロック発生手段が供給するもう一方の接点に、前記パルスとは反転関係にあるパルスを供給する第２のクロック供給手段と、第１の受信信号として、第１または第２の接点に流れる電流を検出する電流検出手段を備え、一方、前記第２の送受信装置は、送信されてきた所定情報を記憶する記憶手段と、前記第１及び第２の接点に受信した信号から動作電圧を生成する第２の電源生成手段と、第１または第２の接点の信号を遅延させる遅延手段と、基準電圧と比較を行なう比較手段と、送信されてきたクロックに同期して、データを取り込むデータ受信手段と、第１及び第２の接点間のインピーダンスを第２の送信信号に応じて、変化させる第２のコントロール手段とを備え、クロックのデューティを変えることによって、データを送信することを特徴とするデータ通信回路。
【請求項２】
前記請求項１記載のデータ通信回路において、前記電源生成手段が第１と第２の接点間に対して全波整流を行なう回路であることを特徴とするデータ通信回路。
【請求項３】
第１の送受信装置と第２の送受信装置を有し、第１及び第２の接点を介して、前記送受信装置間のデータ通信を行なう２線式データ通信であって、前記第１の送受信装置は、動作電圧を生成するする第１の電源生成手段と、第１または第２の接点にパルスを供給する第１のクロック供給手段と、クロックの周波数を複数に設定することができる周波数設定手段と、前記クロック発生手段が供給するもう一方の接点に、前記パルスとは反転関係にあるパルスを供給する第２のクロック供給手段と、第１の受信信号として、第１または第２の接点に流れる電流を検出する電流検出手段を備え、一方、前記第２の送受信装置は、送信されてきた所定情報を記憶する記憶手段と、前記第１及び第２の接点に受信した信号から動作電圧を生成する第２の電源生成手段と、第１または第２の接点の信号を遅延させる遅延手段と、基準電圧と比較を行なう比較手段と、送信されてきたクロックに同期して、データを取り込むデータ受信手段と、第１及び第２の接点間のインピーダンスを第２の送信信号に応じて、変化させる第２のコントロール手段とを備え、クロックの周波数を変えることによって、データを送信することを特徴とするデータ通信回路。
【請求項４】
前記請求項３記載のデータ通信回路において、前記電源生成手段が第１と第２の接点間に対して全波整流を行なう回路であることを特徴とするデータ通信回路。
【請求項５】
請求項３又は４記載のデータ通信回路において、前記クロック供給手段が供給クロックは、Ｈレベルの時間がＬレベルに比べて極めて長いデューティ設定になっていることを特徴とするデータ通信回路。
【請求項６】
請求項３又は４記載のデータ通信手段において、前記クロック供給手段の供給するクロックのデューティを複数設定することができるデューティ設定手段を有し、供給するクロックの周波数が高い場合には、Ｌレベルの期間がＨレベルに比べて長いデューティ設定であって、供給するクロックの周波数が低い場合には、Ｈレベルの期間がＬレベルに比べて長いデューティ設定であることを特徴とするデータ通信回路。
【発明の詳細な説明】
【技術分野】
【０００１】
本発明は、データ通信を行なうための２線で接続された接触式のデータ通信回路に関するものである。
【背景技術】
【０００２】
従来のデータ通信は、通信を行なうために、電源、グラウンド、送受信信号の４個の接点を設ける必要があったので、小型化するには適当ではなかった。この問題を解決するために、コントロール装置３００とデータキャリア装置３０１とがデータ通信を行なうシステムにおいて、２個の接点で、電力及び双方向のデータ通信を可能にする提案がされている（特許文献１）。
【０００３】
この２線式データ通信装置について、図８を元に説明する。コントロール装置３００はクロックパルスとクロックパルスの逆相パルスを生成するクロック発生回路３０４と、クロックパルスの振幅レベルを発生する電圧レベル発生回路３０２と、振幅差を検出する検出回路３０５で構成されている。
【０００４】
電圧レベル発生回路は、電源電圧に接続された抵抗Ｒ１と抵抗Ｒ２の直列接続によって構成され、抵抗間の電圧を出力する。送信回路３０３は電圧レベル発生回路の抵抗Ｒ２にＦＥＴを接続し、ゲートに入力した信号レベルで電圧レベル発生回路３０２の出力電圧Ｖｏを決定する。クロック発生回路３０４はインバータの電力供給端子を電圧レベル発生回路３０２の出力に接続し、同相と逆相のクロックパルスの振幅を変えて信号を伝送する。信号検出回路３０５はデータキャリア装置３０１の２つの接点のどちらかに接続され、コントロール装置３００から見たデータキャリア装置３０１の負荷の変化を信号として検出する。
【０００５】
従来の２線式データ通信の動作について以下に説明していく。まず、コントロール装置３００からデータキャリア装置３０１へのデータ送信について説明する。クロック発生回路にＤＡＴＡパルスを入力し、クロック発生回路３０４の出力Ａ及び出力Ｂにはそれぞれ、入力パルスと同相のパルスと、逆相のパルスの差動信号が出力される。また、その際の出力パルスの振幅は、送信信号ＤＡＴＡに応じて、変化させることで、クロックパルスの振幅変化によって、データキャリア装置３０１にデータを送信する。
【０００６】
次に、データキャリア装置３０１からコントロール装置３００へのデータ送信について説明する。データキャリア装置３０１の送信信号ＤＡＴＡ２の電圧レベルによって、データキャリア装置３０１の入力インピーダンスが変化し、出力パルスの振幅を変調させ、上記と同様、振幅変化によって、コントロール装置３００がデータを受信する。
【０００７】
以上説明したように、従来の２線式データ通信装置は、両装置間の通信において、データキャリア装置３０１へ供給する動作電圧に、データとなる電圧を重畳させることで、２点の接点のみで、データキャリア装置３０１への電源供給及びデータ通信を実現している。
【０００８】
また、図９に示すようにパルス幅を変える２線式データ通信も提案されている（特許文献２）。
【特許文献１】特開２００３−０６９６５３号公報
【特許文献２】特開２００３−１６９００２号公報
【特許文献３】特開２００３−１１０４７０号公報
【発明の開示】
【発明が解決しようとする課題】
【０００９】
しかしながら、従来の２線式データ通信装置では、信号の振幅差を検出することで、データを受信したが、送受信の通信方向によって、信号振幅を検出する電圧レベルが異なっていた。すなわち、等価抵抗など各種部品のバラツキが大きい時に一方向におけるデータ通信ができる電圧レベル条件を満たしたとしても、逆方向において、十分な振幅差が確保することができずに、データ通信ができなくなる問題があった。
【００１０】
この問題を解決するために、特許文献３に記載のように、送受信時に、動作電圧を切り替える回路を追加することで、双方向の通信に必要な電圧レベルを確保する提案も行なわれている。
【００１１】
しかし、送受信切り替え信号を新たに追加することにより、制御が複雑化することや、ノイズが差動クロックにのった場合にデータを誤検知する点及び、振幅変調しているために、供給する動作電圧が変動してしまう問題があり、更なる改善が望まれている。
【００１２】
また、特許文献２に記載されているパルス幅を変え、データ通信を行なう装置は、複数の抵抗を直列に並べ、導通と非導通を切り替え、電圧レベルを変化させているため、出力インピーダンスが大きくなり、受信回路部の部品選定が難しくなるデメリットがある。また、抵抗を小さくすることで、出力インピーダンスを下げる方法もあるが、逆にロスが大きくなるデメリットも持っている。更に課題をあげると、整流回路後にクロック発生手段を設けているため、クロックが脈打つ問題も抱えている。
【００１３】
上記従来の様々な問題点を解決するために、本発明の目的は、一方の信号受信をクロックの振幅でなく、周波数またはデューティの相違を整流回路前のパルスを用いて、検出することにより、容易な構成で、動作電圧の安定と、ノイズの影響を受けにくい双方向のデータ通信を実現する２線式データ通信装置を提供することである。
【課題を解決するための手段】
【００１４】
本発明に係る第１の発明は、第１の送受信装置と第２の送受信装置を有し、第１及び第２の接点を介して、前記送受信装置間のデータ通信を行なう２線式データ通信であって、前記第１の送受信装置は、動作電圧を生成するする第１の電源生成手段と、第１または第２の接点にパルスを供給する第１のクロック供給手段と、クロックのデューティを複数設定することができるデューティ設定手段と、前記クロック発生手段が供給するもう一方の接点に、前記パルスとは反転関係にあるパルスを供給する第２のクロック供給手段と、第１の受信信号として、第１または第２の接点に流れる電流を検出する電流検出手段を備え、一方、前記第２の送受信装置は、送信されてきた所定情報を記憶する記憶手段と、前記第１及び第２の接点に受信した信号から動作電圧を生成する第２の電源生成手段と、第１または第２の接点の信号を遅延させる遅延手段と、基準電圧と比較を行なう比較手段と、送信されてきたクロックに同期して、データを取り込むデータ受信手段と、第１及び第２の接点間のインピーダンスを第２の送信信号に応じて、変化させる第２のコントロール手段とを備え、クロックのデューティを変えることによって、データを送信する２線式データ通信とする。
【００１５】
本発明に係る第２の発明は、第１の発明に記載のデータ通信回路において、前記電源生成手段が第１と第２の接点間に対して全波整流を行なう回路を有するものとする。
【００１６】
本発明に係る第３の発明は、第１の送受信装置と第２の送受信装置を有し，第１及び第２の接点を会して，前記走受信装置間のデータ通信を行なう２線式データ通信であって、前記第１の送受信装置は、動作電圧を生成するする第１の電源生成手段と、第１または第２の接点にパルスを供給する  第１のクロック供給手段と、クロックの周波数を複数に設定することができる周波数設定手段と、前記クロック発生手段が供給するもう一方の接点に、前記パルスとは反転関係にあるパルスを供給する第２のクロック供給手段と、第１の受信信号として、第１または第２の接点に流れる電流を検出する電流検出手段を備え、一方、前記第２の送受信装置は、送信されてきた所定情報を記憶する記憶手段と、前記第１及び第２の接点に受信した信号から動作電圧を生成する第２の電源生成手段と、第１または第２の接点の信号を遅延させる遅延手段と、基準電圧と比較を行なう比較手段と、送信されてきたクロックに同期して、データを取り込むデータ受信手段と、第１及び第２の接点間のインピーダンスを第２の送信信号に応じて、変化させる第２のコントロール手段とを備え、クロックの周波数を変えることによって、データを送信する２線式データ通信とする。
【００１７】
本発明に係る第４の発明は、前記第３の発明記載のデータ通信回路において、前記電源生成手段が第１と第２の接点間に対して全波整流を行なう回路を有するものとする。
【００１８】
本発明に係る第５の発明は、第３〜４の発明記載のデータ通信回路において、前記クロック供給手段が供給クロックは、Ｈレベルの時間がＬレベルに比べて極めて長いデューティ設定になっているものとする。
【００１９】
本発明に係る第６の発明は、第３〜４の発明記載のデータ通信手段において、前記クロック供給手段の供給するクロックのデューティを複数設定することができるデューティ設定手段を有し、供給するクロックの周波数が高い場合には、Ｌレベルの期間がＨレベルに比べて長いデューティ設定であって、供給するクロックの周波数が低い場合には、Ｈレベルの期間がＬレベルに比べて長いデューティ設定になっているものとする。
【発明の効果】
【００２０】
第１の発明によれば、デューティを変化させることによって、データ送信を行なうため、振幅変調より動作電圧範囲を幅広くとれるため、安定した電源供給と、正確なデータ送信の両立が可能にできる。
【００２１】
第２の発明によれば、第１と第２の接点間に対して全波整流を行ない、動作電圧を生成させているため、安定した電源供給を実現することができる。
【００２２】
第３の発明によれば、周波数を変えることによって、データ送信を行なうため、振幅変調より、動作電圧範囲を幅広くとれるため、安定した電源供給と、正確なデータ送信の両立が可能にできる。
【００２３】
第４の本発明によれば、第１と第２の接点間に対して全波整流を行ない、動作電圧を生成させているため、安定した電源供給を実現することができる。
【００２４】
第５の発明によれば、“Ｈ”レベルの時間が長く設定しているため、電荷をできる限り蓄積でき、周波数をあまり低くしなくても、“Ｈ”レベルと“Ｌ”レベルの検出を行なうことが可能になる。したがって、通信時間を早めることができる。
【００２５】
第６の発明によれば、送信するクロック周波数に応じて、デューティを変化させているので、“Ｈ”レベルと“Ｌ”レベルの検出をより容易に行なうことができ、誤検出をなくすことができる。したがって、データの送受信が確実に行なうことのできる２線式データ通信装置が実現できるようになる。
【００２６】
以上説明したように、本発明によれば、デューティ変調によってデータを送信するため、振幅変調に比べ、動作電圧を幅広く確保できる。また、互いに反転関係にあるクロックを２接点に供給し、その２点間の電圧を全波整流していることで、電圧ドロップが極力抑えられる。ゆえに、２点間に伝達される差動クロックのスキューやオーバーシュートなどで電源ドロップが起こったとしても、動作電圧を下回ることはない安定した電源供給が可能になる。
【００２７】
また、データ受信に関しても、振幅差でなく、電流を検出することで、データを受信するため、ノイズなどによるオーバーシュートやアンダーシュートに影響されにくいデータ通信も可能になる。
【００２８】
また、上記問題が解決できるので、動作電圧を小さく設定しても、データ転送が可能になり、動作電圧をなるべく小さく設定できる。それに伴い、消費電力も抑制することが可能になる。
【発明を実施するための最良の形態】
【００２９】
以下本発明を実施するための最良の形態を、実施例により詳しく説明する。
【実施例１】
【００３０】
図１は、本発明の第１の実施例にかかる代表的な２線式データ通信回路であり、このデータ通信回路では、第１の送受信ユニット１００と第２の送受信ユニット２００とが、２個の接点Ａ及びＢを介してデータ通信を行なうことができる。まず、図１を用いて、第１の実施例にかかるデータ通信システムの構成を説明する。第１の送受信ユニット１００は、クロックのデューティを変更可能なクロック生成回路１０１と、インバータ素子１０４ａ〜１０４ｃで構成されたクロックパルス信号とその逆相のクロックパルスを生成するクロック生成部１０１と、受信信号として抵抗に流れる電流の向きを検出する電流検出回路１０５から構成されている。
【００３１】
一方、第２の送受信ユニット２００は、接点Ａ及びＢ間の電圧を整流する全波整流回路２０２と、抵抗、コンデンサで構成される積分回路２０５と、Ｃ点の電圧と基準電圧の比較を行なうコンパレータ２０６と、送信されてきたクロックに同期して、Ｄ点の入力データを取り込むＤフリップフロップ回路２０７と、送信信号としてインピーダンスを変化させる制御信号の制御及びメモリとの通信を行なう制御回路２０３と、記憶手段としてのメモリ２０４から構成されている。
【００３２】
次に本実施例の動作について説明する。まず、第１の送受信ユニット１００から第２の送受信ユニット２００へのデータ転送は次のように行なう。第１の送受信ユニット１００において、通信用の動作クロックをＡＳＩＣ１０３で生成し、第２の送受信ユニット２００に送信する。このＡＳＩＣ１０３には、基準となるクロックと送信データを入力し、その送信データに応じて、基準クロックから生成する動作クロックのデューティを変更できるようになっている。また、そのクロックパルスのデューティ比が大きく異なる方が望ましい。このように生成された動作クロックを２系統に分け、１系統はインバータ素子１０４ｃを１段、もう一方は、インバータ素子１０４ａ、１０４ｂの２段通過させることにより、動作クロックと同相のクロックパルスと逆相のクロックパルスを出力し、２接点を通して、第２の送受信ユニット２００に伝達する。
【００３３】
第２の送受信ユニット２００では、まず点Ａと点Ｂ間の電圧に対して、全波整流を行ない、動作電圧を生成する。次に、点Ａの電圧からデューティの大小を検出する方法を図２を元に説明する。図２は第１の発明にかかる送受信時のタイミングチャートを示している。第１の実施例では、信号を遅延させるために、ＲＣからなる積分回路２０５を使用している。この積分回路２０５は、点Ａの電位が“Ｈ”レベルになると、電荷が時定数Ｒ６×Ｃ２で決定される曲線で、ゆるやかに蓄積され、“Ｌ”レベルになると、蓄積されずに、電荷が抜けていく働きをする。つまり、デューティを変化させ、“Ｈ”レベルの時間が長いほど、点Ｃに蓄積される電荷は多く、”Ｌ“レベルの時間が長いほど、点Ｃに電荷が蓄積されないことになる。また、点Ｃの電位が“Ｈ”レベルから“Ｌ”レベルに切り替わる際に、点Ｃに蓄積された電荷が抜けやすくなるために、ダイオードと抵抗を並列に接続している。
【００３４】
次に、点Ｃに蓄積された電位と基準電圧Ｖｒｅｆをコンパレータ２０６で比較することで、デューティの差によって生じた電位差を検出することが可能になる。基準電圧Ｖｒｅｆより高い場合に、“Ｈ”レベルを出力し、一方低い場合に”Ｌ“レベルを出力する。このように出力された点Ｃの電位を動作クロックの立下りに同期してＤフリップフロップ２０７でデータを取り込む。また、動作クロックと逆相であるＢ点をＤフリップフロップ２０７のクロックに接続する場合は、立ち上がりに同期してデータを取り込むようにすればよい。これにより、デューティの変化を送信データとして取り込むことが可能になる。すなわち、第１の送受信ユニット１００からの送信データを第２の送受信ユニット２００が受信できる。
【００３５】
次に、第２の送受信ユニット２００からデータを第１の送受信ユニット１００が受け取る際の動作について説明する。制御回路２０３からの第２の送信信号ＤＡＴＡ２に基づき、スイッチング素子２０２のＯＮ・ＯＦＦことにより、抵抗Ｒ５の導通・非導通が切り替えられる。
【００３６】
スイッチング素子２０２がＯＮすると、Ｒ５が導通し、第２の送受信ユニット２００の入力インピーダンスが低下するため、接点Ａ、Ｂ間端子電圧はＶＨよりも低下しＶＬｏａｄになり、抵抗Ｒ２に流れる電流値が変化する。これを検出することによって、送信データであるＯＮ・ＯＦＦ信号を受信でき、第２の送受信ユニット２００から第１の送受信ユニット１００への通信が可能になる。
【００３７】
本実施例１では、図１に示すように、受信回路部１０５は、抵抗Ｒ２に流れる電流で、両端の電位差をコンパレータ１０６によって検出する構成になっている。次にこの構成における動作を具体的に図３を元に説明する。図３は、第１の送受信ユニット１００が第２の送受信ユニット２００からのデ−タを受信する際の動作タイミングチャートである。スイッチング素子２０２がＯＮした時は、先に述べたように、入力インピーダンスが低くなるため、抵抗Ｒ５に流れる電流が増加し、コンパレータ１０６の出力信号ＲＤ２は、動作クロックと同タイミングで、“Ｈ”レベルと“Ｌ”レベルが切り替わる。ＣＰＵ１０１は、この出力信号ＲＤ２を動作クロックの立ち上りに同期して、データを取り込む。これにより、ＣＰＵ１０１は、出力信号ＲＤ２が“Ｈ”レベルである期間を読み取れるため、“Ｈ”レベルと判断可能になる。したがって、第２の送受信ユニット２００からのデータ“Ｈ”を第１の送受信ユニット１００は受信可能である。
【００３８】
一方、スイッチング素子２０２がＯＦＦした時は、入力インピーダンスが高くなり、コンパレータ１０６の出力信号ＲＤ２は、“Ｌ”レベルのままになる。ＣＰＵ１０１は、この出力信号ＲＤ２を、動作クロックの立ち上りに同期して、データを取り込む。これにより、ＣＰＵ１０１は“Ｌ”レベルを判断でき、第２の送受信ユニット２００からのデータ“Ｌ”を第１の送受信ユニット１００は受信可能である。
【００３９】
以上説明したように、第２の送受信ユニット２００からの送信データを、抵抗に流れる電流を検出することで実現できる。
【実施例２】
【００４０】
第２の実施例にかかる代表的な２線式データ通信装置を図４に示す。第１の実施例と異なる信号遅延回路部２１１のみを以下に説明する。第２の実施例は、図４に示すように、オープンドレインのバッファ２０９と定電流源２１０と、コンデンサＣ２で構成されており、以下に動作を説明する。まず、バッファ２０９は、オープンドレインであるため、点Ａが“Ｈ”レベルの場合に出力がハイインピーダンスになり、”Ｌ“レベルの場合にはそのまま”Ｌ“レベルが出力される。したがって、出力がハイインピーダンスになると、定電流源２１０とコンデンサＣ２が直列に接続されただけの回路になり、定電流源２１０からコンデンサＣ２に電荷が徐々に蓄積される。一方、点Ａが”Ｌ“レベルの場合には、出力も”Ｌ“レベルになるため、コンデンサに蓄積された電荷や定電流源２１０からの新たな電荷が矢印の方向に抜けていくことになる。すなわち、第２の信号遅延回路２１１は、ＲＣから積分回路２０５と同じ動きをするため、第１の実施例の積分回路２０５と置き換えることで、第１の実施例と同じ受信方法を実現できる。また、この他の回路構成は、全く同じであるため、説明を省略する。
【実施例３】
【００４１】
第３の実施例は、第１の実施例に対して、第１の送受信ユニット１００から第２の送受信ユニット２００へのデータ転送方法のみ異なるので、データ転送方法についてのみここでは説明する。第２の実施例では、送信データに応じて動作クロックの周波数を変えることを特徴とし、図５のように送信データによって分周比を変更する分周回路１０７を接続することで実現することができる。図６に第３の実施例にかかる送受信時のタイミングチャートを示し、このタイミングチャート元に送受信時の動作について説明する。
【００４２】
第３の実施例では、動作クロックのデューティは一定で動作し、送信データが“Ｈ”レベルの場合は、周波数を低くし、“Ｌ”レベルの場合は周波数を高くすることで、送信データを決定する。このように制御することで、第１の実施例と同じ受信回路２０８でデータを受信できる。第１の実施例において説明したように、この受信回路は、点Ｃに蓄積される電荷量でデータを検知している。また、点Ａの電位が“Ｈ”レベルである期間の長さと、ＲＣの時定数で点Ｃに蓄積される電荷量を制御できるため、時定数を一定にすると、“Ｈ”レベルの期間により、受信データが決定されることになる。したがって、デューティを変更しなくても、周波数を調整するだけで、あたかも“Ｈ”レベル期間を調整していることになり、データの送受信が可能になる。
【００４３】
また、ここでは信号遅延回路として、図５記載のＲＣからなる積分回路で構成されているが、実施例２のような信号遅延回路でも構わない。
【実施例４】
【００４４】
第４の実施例は、送信データに応じてデューティと周波数を連動して、変化させることを特徴とする。図７に第４の実施例にかかる送受信時のタイミングチャートを示し、このタイミングチャートを元にしてデータ送信方法を説明する。まず、第１の送受信ユニット１００は、図７に示すように、周波数の高い時は“Ｌ”レベル期間が長いクロックパルス、周波数が低い時には、“Ｈ”レベル期間が長いクロックパルスの２種類のクロックを送信する。すなわち、送信データに応じて、この２種類のクロックを切り替え、第２の送受信ユニット２００にクロックを送信する。これにより、２種類のクロックにおいて“Ｈ”レベル期間に十分な差が生じる。
【００４５】
既に述べている通り、点Ｃの電荷蓄積量は、ＲＣの時定数が一定であれば、点Ａの“Ｈ”レベル期間で決定される。したがって、上記２つのクロックを使い分けることにより蓄積される電荷量に幅を持たせることができる。それに伴い、基準電圧Ｖｒｅｆとの電位差（Ｖａ、Ｖｂ）も十分に確保でき、誤検出を抑制することができる。ここでは、受信回路２０８は第１及び第２の実施例と同じなので省略する。
【図面の簡単な説明】
【００４６】
【図１】第１の実施例にかかる代表的な２線式データ通信回路
【図２】第１の送受信ユニットのデータ送信動作時のタイミングチャート
【図３】第２の送受信ユニットのデータ受信時動作時のタイミングチャート
【図４】第２の実施例にかかる代表的な２線式データ通信回路
【図５】第３の実施例にかかる代表的な２線式データ通信回路
【図６】第３の実施例におけるデータ送信動作時のタイミングチャート
【図７】第４の実施例におけるデータ送信動作時のタイミングチャート
【図８】従来の代表的な２線式データ通信回路
【図９】従来の代表的な２線式データ通信回路２
【符号の説明】
【００４７】
１００  第１の送受信ユニット
１０１  クロック生成部
１０２  ＣＰＵ
１０３  ＡＳＩＣ
１０４ａ〜１０４ｃ  インバータ素子
１０５  電流検出回路（第１の受信回路）
１０６  第１のコンパレータ
１０７  分周回路
２００  第２の送受信ユニット
２０１  全波整流回路
２０２  スイッチング素子
２０３  制御回路部
２０４  記憶媒体
２０５  積分回路（第１の信号遅延回路）
２０６  第２のコンパレータ
２０７  Ｄフリップフロップ
２０８  第２の受信回路
２０９  オープンドレインバッファ
２１０  定電流源
２１１  第２の信号遅延回路
３００  コントロール装置
３０１  データキャリア装置
３０２  電圧レベル発生回路
３０３  データ送信回路
３０４  クロック発生回路
３０５  信号検出回路
３０６  ＬＳＩ等価抵抗
【図１】
2006173707.tif 000003
【図２】
2006173707.tif 000004
【図３】
2006173707.tif 000005
【図４】
2006173707.tif 000006
【図５】
2006173707.tif 000007
【図６】
2006173707.tif 000008
【図７】
2006173707.tif 000009
【図８】
2006173707.tif 000010
【図９】
2006173707.tif 000011